(57)【要約】【課題】本発明の主な目的は、コストを安くし、空間を少し占めるバーチャル入力装置と、この入力装置を使用した電子装置を提供することにある。【解決手段】上記課題を解決するために本発明では、第一主体と、表示装置が設置されている第二主体と、前記第一主体に設置されて、使用者がクリックする動作をする場合、クリック信号を形成する圧力検出パネルと、前記第二主体に形成されて、前記圧力検出パネルの上での使用者がクリックする動作を検出する一方、クリック位置に関する信号を含む映像信号を形成する映像検出モジュールと、前記圧力検出パネル及び映像検出モジュールに電気接続されて、前記クリック信号が形成された場合、前記映像信号を処理して、入力操作を実施する処理装置と、を含むことを特徴とするバーチャル入力装置を有する電子装置を提供する。【選択図】図１
2010160772.tif 000002
【特許請求の範囲】
【請求項１】
第一主体と、
表示装置が設置されている第二主体と、
前記第一主体に設置されて、使用者がクリックする動作をする場合、クリック信号を形成する圧力検出パネルと、
前記第二主体に形成されて、前記圧力検出パネルの上での使用者がクリックする動作を検出する一方、クリック位置に関する信号を含む映像信号を形成する映像検出モジュールと、
前記圧力検出パネル及び映像検出モジュールに電気接続されて、前記クリック信号が形成された場合、前記映像信号を処理して、入力操作を実施する処理装置と、を含むことを特徴とするバーチャル入力装置を有する電子装置。
【請求項２】
前記圧力検出パネルに所定の図面が印刷されていることを特徴とする請求項１に記載のバーチャル入力装置を有する電子装置。
【請求項３】
前記所定の図面は、複数のバーチャルボタンを含むキーボード図案であることを特徴とする請求項２に記載のバーチャル入力装置を有する電子装置。
【請求項４】
前記第一主体が前記第二主体に回転可能に装着されていることを特徴とする請求項１に記載のバーチャル入力装置を有する電子装置。
【請求項５】
前記圧力検出パネルを照射することができる赤外線光源をさらに含み、前記映像検出モジュールが赤外線通過フィルタ（ＩＲ  Ｐａｓｓ  Ｆｉｌｔｅｒ）を含むことを特徴とする請求項１に記載のバーチャル入力装置を有する電子装置。
【請求項６】
先端を前記圧力検出パネルに接続させる場合、本体に設置する赤外線光源が電灯される入力ペンをさらに含み、且つ、前記映像検出モジュールが赤外線通過フィルタを含むことを特徴とする請求項１に記載のバーチャル入力装置を有する電子装置。
【請求項７】
先端を前記圧力検出パネルに接続させる場合、本体に設置する補助赤外線光源が電灯される入力ペンを更に含み、且つ、前記補助赤外線光源の輝度が前記赤外線の輝度より明るいことを特徴とする請求項５に記載のバーチャル入力装置を有する電子装置。
【請求項８】
第一主体と、
前記第一主体に回転可能に装着され、且つ表示装置を具備する第二主体と、
前記第一主体に形成され、キーボード図案及びポインティングデバイス（Ｐｏｉｎｔｉｎｇ  Ｄｅｖｉｃｅ）図案を具備する印刷図案と、
前記第二主体に離間して形成される第一映像検出モジュール及び第二映像検出モジュールと、
前記第一映像検出モジュール及び第二映像検出モジュールに電気接続される処理装置と、を含み、
前記第一映像検出モジュールと第二映像検出モジュールの検出範囲が重なり、且つ第一映像検出モジュール及び第二映像検出モジュールが前記印刷図案での使用者の動作をそれぞれ検出する一方、動作に関する映像信号を形成し、
前記処理装置が前記映像信号に根拠して、表示装置の指の位置を制御する位置制御信号や、所定の指の位置に所定のデータを入力するデータ入力信号などから構成される入力信号を形成することを特徴とするバーチャル入力装置を有する電子装置。
【請求項９】
前記ポインティングデバイス図案がマウス図案であることを特徴とする請求項８に記載のバーチャル入力装置を有する電子装置。
【請求項１０】
前記印刷図案を照射することができる赤外線光源をさらに含み、前記映像検出モジュールは赤外線通過フィルタを含むことを特徴とする請求項８に記載のバーチャル入力装置を有する電子装置。
【請求項１１】
先端を前記印刷図案に接続させる場合、本体に設置する赤外線光源が電灯される入力ペンをさらに含み、且つ、前記映像検出モジュールが赤外線通過フィルタを含むことを特徴とする請求項８に記載のバーチャル入力装置を有する電子装置。
【請求項１２】
先端を前記印刷図案に接続させる場合、本体に設置する補助赤外線光源が電灯される入力ペンを更に含み、且つこの補助赤外線光源の輝度が前記赤外線の輝度より明るいことを特徴とする請求項１０に記載のバーチャル入力装置を有する電子装置。
【請求項１３】
第一主体と、
表示装置を具備する第二主体と、
前記第一主体の一側に離間して形成される第一映像検出モジュール及び第二映像検出モジュールと、
前記第一映像検出モジュール及び第二映像検出モジュールに電気接続される処理装置と、を含み、
前記第一映像検出モジュールと第二映像検出モジュールの検出範囲が重なり、且つ第一映像検出モジュール及び第二映像検出モジュールの検出範囲に指の位置を制御するバーチャル位置制御区域があり、且つ第一映像検出モジュールと第二映像検出モジュールが前記バーチャル位置制御での使用者の動作をそれぞれ検出する一方、動作に関する映像信号を形成し、
前記処理装置が前記映像信号に根拠して、表示装置の指の位置を制御する位置制御信号を形成することを特徴とするバーチャル入力装置を有する電子装置。
【請求項１４】
前記第一映像検出モジュールと第二映像検出モジュールは、前記電子装置と電気接続することができる接続ユニットに形成され、前記接続ユニットは、電気接続装置を通して電子装置と電気接続することを特徴とする請求項１３に記載のバーチャル入力装置を有する電子装置。
【請求項１５】
前記第一主体には、接続パネルを具備するキーボードが形成されていることを特徴とする請求項１３に記載のバーチャル入力装置を有する電子装置。
【請求項１６】
前記バーチャル位置制御区域を照射することができる赤外線光源をさらに含み、前記映像検出モジュールは赤外線通過フィルタを含むことを特徴とする請求項１３に記載のバーチャル入力装置を有する電子装置。
【請求項１７】
先端を前記バーチャル位置制御区域に接続させる場合、本体に設置する赤外線光源が電灯される入力ペンをさらに含み、且つ、前記映像検出モジュールが赤外線通過フィルタを含むことを特徴とする請求項１３に記載のバーチャル入力装置を有する電子装置。
【請求項１８】
先端を前記バーチャル位置制御区域に接続させる場合、本体に設置する補助赤外線光源が電灯される入力ペンを更に含み、且つこの補助赤外線光源の輝度が前記赤外線の輝度より明るいことを特徴とする請求項１６に記載のバーチャル入力装置を有する電子装置。
【請求項１９】
前記第一主体に圧力検出パネルが形成され、使用者が前記圧力検出パネルをクリックする場合、この圧力検出パネルにクリックに関する電気信号が形成される電気信号を形成し、
前記第二主体には、使用者が前記圧力検出パネルをクリックする動作を検出する一方、クリックした位置に関する映像信号を形成する第三映像検出モジュールが形成され、
前記処理装置は、前記第三映像検出モジュールに電気接続されて、前記映像信号に根拠してクリックに関する入力信号を形成することを特徴とする請求項１３に記載のバーチャル入力装置を有する電子装置。
【請求項２０】
前記圧力検出パネルにキーボード図案が印刷されていることを特徴とする請求項２０に記載のバーチャル入力装置を有する電子装置。
【発明の詳細な説明】
【技術分野】
【０００１】
本発明は、入力装置を有する電子装置に関し、特にバーチャル入力装置を有する電子装置に関する。
【背景技術】
【０００２】
ノートパソコン、個人用の携帯情報端末（Ｐｅｒｓｏｎａｌ  Ｄｉｇｉｔａｌ  Ａｓｓｉｓｔａｎｔｓ、ＰＤＡと略称）などの携帯型電子装置には、電子装置を動かすための指示やデータを与えるための入力装置が設置されている。入力装置として、キーボードや、マウスや、トラックボール（Ｔｒａｃｋｂａｌｌ）などがある。前記キーボードは、複数のボタンと、接続パネルと、を含む。電子装置の使用者が前記キートップのボタンをクリックする場合、前記接続パネルがクリックを電気信号に変換して電子装置の処理装置へ入力するので、電子装置が動かされるか、表示装置に所定のデータが表示される。マウス、トラックボールなどは、ポインティングデバイス（Ｐｏｉｎｔｉｎｇ  Ｄｅｖｉｃｅ）である。使用者がマウスなどのポインティングデバイスで、表示装置の指を所定の位置へ移動させた後、表示装置に配列してあるメニューをクリックすると電子装置が動かされるか、表示装置に所定のデータが表示される。
【０００３】
しかし、従来のキーボード、マウス、トラックボールなどの入力装置は、構造が複雑し、厚さが厚いから、電子装置の低コストと、薄化の要求を満足させることができない。したがって、コストが安く、空間を少し占める電子装置用入力装置と、この入力装置を使用した電子装置が必要する。
【０００４】
本発明の主な目的は、コストを安くし、空間を少し占めるバーチャル入力装置と、この入力装置を使用した電子装置を提供することにある。
【発明の概要】
【課題を解決するための手段】
【０００５】
上記課題を解決するために本発明では、第一主体と、表示装置が設置されている第二主体と、前記第一主体に設置されて、使用者がクリックする動作をする場合、クリック信号を形成する圧力検出パネルと、前記第二主体に形成されて、前記圧力検出パネルの上での使用者がクリックする動作を検出する一方、クリック位置に関する信号を含む映像信号を形成する映像検出モジュールと、前記圧力検出パネル及び映像検出モジュールに電気接続されて、前記クリック信号が形成された場合、前記映像信号を処理して、入力操作を実施する処理装置と、を含むことを特徴とするバーチャル入力装置を有する電子装置を提供する。
【０００６】
上述した電子装置で、前記圧力検出パネルに所定の図面複数、例えばバーチャルボタンを含むキーボード図案が形成され、且つ前記第一主体が前記第二主体に回転可能に装着されていることを特徴とする。
【０００７】
上記課題を解決するために本発明では、第一主体と、前記第一主体に回転可能に装着され、且つ表示装置を具備する第二主体と、前記第一主体に形成され、キーボード図案及びポインティングデバイス（Ｐｏｉｎｔｉｎｇ  Ｄｅｖｉｃｅ）図案（例えばマウス図案）を具備する印刷図案と、前記第二主体に離間して形成される第一映像検出モジュール及び第二映像検出モジュールと、前記第一映像検出モジュール及び第二映像検出モジュールに電気接続される処理装置と、を含み、前記第一映像検出モジュールと第二映像検出モジュールの検出範囲が重なり、且つ第一映像検出モジュール及び第二映像検出モジュールが前記印刷図案での使用者の動作をそれぞれ検出する一方、動作に関する映像信号を形成し、前記処理装置が前記映像信号に根拠して、表示装置の指の位置を制御する位置制御信号や、所定の指の位置に所定のデータを入力するデータ入力信号などから構成される入力信号を形成することを特徴とするバーチャル入力装置を有する電子装置を提供する。
【０００８】
上記課題を解決するために本発明では、第一主体と、表示装置を具備する第二主体と、前記第一主体の一側に離間して形成される第一映像検出モジュール及び第二映像検出モジュールと、前記第一映像検出モジュール及び第二映像検出モジュールに電気接続される処理装置と、を含み、前記第一映像検出モジュールと第二映像検出モジュールの検出範囲が重なり、且つ第一映像検出モジュール及び第二映像検出モジュールの検出範囲に指の位置を制御するバーチャル位置制御区域があり、且つ第一映像検出モジュールと第二映像検出モジュールが前記バーチャル位置制御での使用者の動作をそれぞれ検出する一方、動作に関する映像信号を形成し、前記処理装置が前記映像信号に根拠して、表示装置の指の位置を制御する位置制御信号を形成することを特徴とするバーチャル入力装置を有する電子装置を提供する。
【０００９】
上述した電子装置で、前記第一映像検出モジュールと第二映像検出モジュールが前記電子装置と電気接続することができる接続ユニットに形成され、前記接続ユニットがＵＳＢやＦｉｒｅ  Ｗｉｒｅなどの電気接続装置を通して電子装置と電気接続することを特徴とする。
【００１０】
上述した電子装置で、前記第一主体に接続パネルを有するキーボードが設置されていることを特徴とする。
【００１１】
上述した電子装置で、前記第一主体に圧力検出パネルが形成され、使用者が前記圧力検出パネルをクリックする場合、この圧力検出パネルにクリックに関する電気信号が形成される電気信号を形成し、前記第二主体には、使用者が前記圧力検出パネルをクリックする動作を検出する一方、クリックした位置に関する映像信号を形成する第三映像検出モジュールが形成され、前記処理装置は、前記第三映像検出モジュールに電気接続されて、前記映像信号に根拠してクリックに関する入力信号を形成することを特徴とする。
【発明の効果】
【００１２】
本発明において、電子装置に複数のボタン及び接続パネルを含むキーボードを設置せず、バーチャルキーボード及び（又は）バーチャルポインティングデバイス（例えばバーチャルマウス）を設置することができる。前記バーチャルキーボード及びバーチャルポインティングデバイスは、バーチャルに存在するだけ、実際な空間を占めないので、電子装置の厚さを薄くすることができる。且つ、ボタン及び接続パネルを含むキーボードが必要しないので、電子装置のコストを節約することができる。
【図面の簡単な説明】
【００１３】
【図１】本発明の第一実施形態に係わるバーチャル入力装置を有する電子装置の斜視図である。
【図２】本発明の第二実施形態に係わるバーチャル入力装置を有する電子装置の斜視図である。
【図３】本発明の第三実施形態に係わるバーチャル入力装置を有する電子装置の斜視図である。
【図４】映像検出モジュールの位置が違い第三実施形態の電子装置の斜視図である。
【図５】映像検出モジュールの接続方式が違い第三実施形態の電子装置の斜視図である。
【図６】バーチャルキーボードを含む第三実施形態の電子装置の斜視図である。
【図６Ａ】複数の赤外線光線を含む第三実施形態の電子装置の斜視図である。
【図７】本発明の電子装置用入力ペンを示す斜視図である。
【発明を実施するための最良の形態】
【００１４】
以下、本発明に添付される図面を参照しながら、本発明の実施形態に対して詳しく説明する。明細書で現れる左、右などの方向言葉は、図面を参照しなさい。方向に関する言葉は、本発明を説明するだけ、本発明の請求の範囲を限定しない。
【００１５】
図１は、本発明の第一実施形態に係るバーチャル入力装置を有する電子装置１０の斜視図である。本実施形態において、理解を易くしにために、ノートパソコンの図面を例にして説明する。本実施形態の電子装置１０は、第一主体１１、第二主体１３と、圧力検出パネル１５２、映像検出モジュール１７と、処理装置１９と、を含む。前記第二主体１３は、回転可能に前記第一主体１１に装着され、且つ所定の位置に表示装置１３２が形成されている。
【００１６】
前記圧力検出パネル１５２は、前記第一主体１１の上表面に形成されている。使用者が前記圧力検出パネル１５２をクリックする場合、圧力検出パネル１５２にクリックに関するクリック信号が生じる。前記圧力検出パネル１５２は、クリックすることを検出できる薄膜または薄いガラスである。前記圧力検出パネル１５２には、所定の図案、例えばキーボード図案１５４が印刷されている。前記キーボード図案１５４により、前記圧力検出パネル１５２に複数のクリック区域（以下、バーチャルボタンと言う）が形成される。前記圧力検出パネル１５２にキーボード図案１５４を印刷することは、手２０で前記圧力検出パネル１５２を正確にクリックするためである。もし、前記圧力検出パネル１５２にキーボード図案１５４を印刷しないと、圧力検出パネル１５２をクリックすることができるが、クリックが遅くなるか、クリックが間違う可能性がある。電子装置を使用する場合、使用者が手２０で圧力検出パネル１５２をクリックしなく、入力ペンなどでクリックすることもできる。
【００１７】
前記映像検出モジュール１７は、前記第二主体１３に設置されて、使用者が手２０で前記圧力検出パネル１５２をクリックする動作を検出する一方、クリック位置に関する映像信号を形成する。前記映像検出モジュール１７は、光学レンズや、映像センサなどを含むことができる。前記光学レンズは、使用者が手２０で前記圧力検出パネル１５２をクリックする場合、手２０に反射される光線を前記映像センサへ集光させる。前記映像センサは、集光された光線を利用してクリック位置に関する映像信号を形成する。
【００１８】
前記処理装置１９は、前記圧力検出パネル１５２と前記映像検出モジュール１７に電気接続されている。使用者が前記キーボード図案１５４をクリックして、前記圧力検出パネル１５２にクリック信号が生じる場合、前記処理装置１９が前記映像検出モジュール１７の映像信号に根拠して対応する入力操作を実施する。前記キーボード図案１５４をクリックして電子装置の内部に入力されるデータは、内部の線路によって前記表示装置１３２に表示されることができる。即ち、前記キーボード図案１５４をクリックして生じたクリック信号が前記処理装置１９に入力されると、処理装置１９がキーボード図案１５４のいずれかバーチャルボタンがクリックされたことを認識する。同時に、処理装置１９が前記映像検出モジュール１７の映像信号に根拠して、クリック位置を検出する一方、対応する入力操作を実施する。
【００１９】
以下、本発明の電子装置１０でデータを入力するステップを説明する。電子装置１０の使用者が手２０で前記キーボード図案１５４のバーチャルボタン（図１で傾斜線があるバーチャルボタン）をクリックする場合、前記圧力検出パネル１５２によってクリック信号が生じる。前記映像検出モジュール１７は、使用者が手２０で前記バーチャルボタンをクリックする動作を検出する一方、このバーチャルボタンの位置に関する映像信号を形成する。前記処理装置１９は、前記クリック信号が生じた後、前記映像信号に根拠して対応する位置（クリックしたバーチャルボタン）のデータ（文字、数字、記号など）を表示装置へ表示させるか、対応する動作を実施する。本実施形態の電子装置１０において、バーチャルボタンを１つずつクリックしたが、バーチャルボタンを２つまたは２つ以上ずつクリックすることもできる。
【００２０】
図２は、本発明の第二実施形態に係るバーチャル入力装置を有する電子装置３０の斜視図である。本実施形態でもノートパソコンの図面を例にして説明する。前記電子装置３０は、第一主体３１と、第二主体３３と、印刷図案３５、映像検出モジュール３７ａ及び３７ｂと、処理装置３９と、を含む。前記第二主体３３は、回転可能に前記第一主体３１に装着され、且つ所定の位置に表示装置３３２が形成されている。
【００２１】
前記印刷図案３５は、前記第一主体３１に形成され、且つキーボード図案３５２と、ポインティングデバイス（Ｐｏｉｎｔｉｎｇ  Ｄｅｖｉｃｅ）図案（例えばマウス図案３５４）と、を含む。本実施形態において、前記ポインティングデバイス図案としてマウス図案を使用したが、他のポインティングデバイス図案を使用してもよい。
【００２２】
前記映像検出モジュール３７ａ及び３７ｂは、前記第二主体３３の上に離間して設置されて、前記印刷図案５３の上での使用者の動作を検出する一方、動作に関する映像信号を形成する。前記映像検出モジュール３７ａの検出範囲と映像検出モジュール３７ｂの検出範囲が重なる。即ち、前記映像検出モジュール３７ａが使用者の動作を写し込む範囲と、前記映像検出モジュール３７ｂが使用者の動作を写し込む範囲が重なる。前記映像検出モジュール３７ａ及び３７ｂは、光学レンズと、映像センサと、を含む。前記光学レンズは、使用者が手で前記印刷図案５３をクリックする場合、手に反射される光線を前記映像センサへ集光させる。前記映像センサは、集光された光線を利用してクリック位置に関する映像信号を形成する。
【００２３】
前記処理装置３９は、前記映像検出モジュール３７ａ及び３７ｂに電気接続されて、映像検出モジュール３７ａ及び３７ｂの映像信号に根拠して入力信号を形成する。前記入力信号は、表示装置３３２の指３３２０の位置を制御する位置制御信号や、所定の指３３２０の位置に所定のデータを入力するデータ入力信号などから構成される。
【００２４】
例えば、使用者が前記印刷図案３５のキーボード図案３５２をクリックする場合、前記処理装置３９にこの動作に関する入力信号が形成される。使用者が前記マウス図案３５４を触るか、クリックする場合、前記処理装置３９に前記表示装置３３２の指３３２０の位置を制御する位置制御信号或はクリックに関する入力信号が形成される。前記印刷図案３５のキーボード図案３５２をクリックする位置は、三角測量方法（Ｔｒｉａｎｇｕｌａｔｉｏｎ）又は他の方法で算出することができる。
【００２５】
図３は、本発明の第三実施形態に係るバーチャル入力装置を有する電子装置５０の斜視図である。本実施形態でもノートパソコンの図面を例にして説明する。前記電子装置５０は、第一主体５１と、第二主体５３と、キーボード５６、映像検出モジュール５７ａ及び５７ｂと、処理装置５９と、を含む。前記第二主体５３は、回転可能に前記第一主体５１に装着され、且つ中央の位置に表示装置５３２が形成されている。
【００２６】
前記キーボード５６は、複数のボタン及び接続パネルを含む従来のキーボードである。使用者が前記キーボード５６をクリックすると、データを入力するか、電子装置５０の内部の電線によって前記表示装置５３２に表示されることができる。
【００２７】
前記映像検出モジュール５７ａ及び５７ｂは、前記第一主体５１の右側面に離間して形成されている。前記映像検出モジュール５７ａの検出範囲と映像検出モジュール５７ｂの検出範囲が重なる。即ち、前記映像検出モジュール５７ａが使用者の動作を写し込む範囲と、前記映像検出モジュール５７ｂが使用者の動作を写し込む範囲が重なる。且つ、前記映像検出モジュール５７ａ及び５７ｂのの検出範囲で、指の位置を制御するバーチャルポインティング区域、例えばバーチャルマウス区域５５を定義する。前記映像検出モジュール５７ａ及び５７ｂは、前記バーチャルマウス区域５５での使用者の動作を検出する一方、動作に関する映像信号を形成する。
【００２８】
前記映像検出モジュール５７ａ及び５７ｂは、光学レンズと、映像センサと、を含む。前記光学レンズは、前記バーチャルマウス区域５５で使用者の手に反射される光線を前記映像センサへ集光させる。前記映像センサは、集光された光線を利用して位置に関する映像信号が形成する。
【００２９】
前記処理装置５９は、前記映像検出モジュール５７ａ及び５７ｂに電気接続されて、映像検出モジュール５７ａ及び５７ｂの映像信号に根拠して入力信号を形成する。前記入力信号は、表示装置５３２の指５３２０の位置を制御する位置制御信号や、所定の指５３２０の位置に所定のデータを入力するデータ入力信号などから構成される。前記バーチャルマウス区域５５での使用者の手の位置は、三角測量方法（Ｔｒｉａｎｇｕｌａｔｉｏｎ）又は他の方法で算出することができる。
【００３０】
本実施形態で、前記映像検出モジュール５７ａ及び５７ｂが前記第一主体５１の右側面に離間して形成されているが、第一主体５１の前或は他の位置に設置することもできる。映像検出モジュール５７ａ及び５７ｂが前記第一主体５１の前に設置されることは、図４を参照することができる。
【００３１】
又は、前記映像検出モジュール５７ａ及び５７ｂを前記第一主体５１に設置しなく、図５に表示した独立的な接続ユニット５７に設置することもできる。前記接続ユニット５７には、映像検出モジュール５７ａ及び５７ｂが設置されているばかりでなく、電子装置の接続口５１２と電気接続するためのＵＳＢ或はＦｉｒｅ  Ｗｉｒｅが設置されている。
【００３２】
第三実施形態の電子装置５０において、複数のボタン及び接続パネルを含む従来のキーボード５６でデータを入力するばかりでなく、バーチャルキーボードを利用してデータをを入力することもできる。バーチャルキーボードでデータを入力することは、図６に示した電子装置を参照することができる。
【００３３】
図６の電子装置５０は、第一主体５１と、第二主体５３と、バーチャルマウス５５図案と、映像検出モジュール５７ａ及び５７ｂと、処理装置５９ａと、圧力検出パネル１５２と、キーボード図案１５４と、第二映像検出モジュール１７と、を含む。前記圧力検出パネル１５２は、前記処理装置５９ａに電気接続されて、使用者が圧力検出パネル１５２をクリックする場合、クリック信号を形成する。
【００３４】
前記映像検出モジュール５７ａ及び５７ｂも前記処理装置５９ａに電気接続されて、前記バーチャルマウス５５の区域での使用者の手の動作を検出する一方、この動作に関する映像信号を形成する。前記圧力検出パネル１５２にクリック信号が生じた後、前記処理装置５９ａが前記映像検出モジュール５７ａ及び５７ｂの映像信号に根拠して、クリックに関する入力操作を実施する。又は、前記処理装置５９ａは、前記映像検出モジュール５７ａ及び５７ｂの映像信号に根拠して前記表示装置５３２の指５３２０を制御する位置制御信号を形成する。即ち、本発明の処理装置５９ａは、第一実施形態の処理装置１９と第三実施形態の処理装置５９の２つの機能を実現する。
【００３５】
図６に示すように、前記電子装置５０は、前記第二主体５３の上部に設置されて赤外線を発射する赤外線光源６０をさらに含む。前記圧力検出パネル１５２と前記バーチャルマウス５５は、全部前記赤外線光源６０の照射範囲に位置している。もちろん、前記キーボード図案１５４も赤外線光源６０の照射範囲に位置している。前記映像検出モジュール５７ａ、５７ｂ及び１７は、光学レンズ及び映像センサを含むばかりでなく、赤外線通過フィルタ（ＩＲ  Ｐａｓｓ  Ｆｉｌｔｅｒ）（図に表示なし）をさらに含む。前記赤外線通過フィルタをレンズ鏡筒の内部或は他の位置に設置することができる。これは、熱による映像信号の劣化を防止し、映像検出モジュール５７ａ、５７ｂ及び１７の検出精度を高めるためである。
【００３６】
図６Ａに示すように、前記赤外線光源６０を１つ以上設置することもできる。複数の赤外線光源６０を有する場合、前記バーチャルマウス５５の区域が赤外線光源６０の照射範囲に位置するように、前記第一主体の映像検出モジュール５７ａ、５７ｂのそばに赤外線光源６０を設置することができる。
【００３７】
上述したように、熱による映像信号の劣化を防止し、映像検出モジュール５７ａ、５７ｂ及び１７の検出精度を高めるために、第一主体５１又は第二主体５３に赤外線光源６０を設置するが、他の部位に設置してもよい。例えば、図７に示すように、入力ペン７０の先端に赤外線光源７２を設置することもできる。前記入力ペン７０には、赤外線光源７２と圧力検出センサー（図に表示なし）が設置されている。この入力ペン７０の先端７６で、圧力検出パネル１５２或はバーチャルマウス５５をクリックする場合、前記赤外線光源７２が電灯される。
【００３８】
先端に赤外線光源７２が設置される入力ペン７０を使用する場合も、前記第一主体５１と（又は）第二主体５３に赤外線光源６０を設置することができる。この場合、前記入力ペン７０の赤外線光源６０を補助光源に使用し、輝度が赤外線光源６０の輝度より明るい方がよい。
【００３９】
上述した赤外線光源６０、赤外線光源７２、赤外線通過フィルタを第一実施形態の電子装置１０と、第二実施形態の電子装置１０にも使用することができる。本発明の電子装置は、ノートパソコンばかりでなく、個人用の携帯情報端末（Ｐｅｒｓｏｎａｌ  Ｄｉｇｉｔａｌ  Ａｓｓｉｓｔａｎｔｓ、ＰＤＡと略称）や、ゲーム機器や、他の携帯電子装置などをさす。
【符号の説明】
【００４０】
１０  電子装置
１１  第一主体
１３  第二主体
１３２  表示装置
１５２  圧力検出パネル
１５４  キーボード図案
１７  映像検出モジュール
１９  処理装置
２０  手
３０  電子装置
３１  第一主体
３３  第二主体
３３２  表示装置
３３２０  指
３５  印刷図案
３５２  キーボード図案
３５４  マウス図案
３７ａ  映像検出モジュール
３７ｂ  映像検出モジュール
３９  処理装置
５０  電子装置
５１  第一主体
５３  第二主体
５３２  表示装置
５３２０  指
５６  キーボード
５５  バーチャルマウス区域
５７  接続ユニット
５７ａ  映像検出モジュール
５７ｂ  映像検出モジュール
５９  処理装置
５９ａ  処理装置
６０  赤外線光源
７０  入力ペン
７２  赤外線光源
７６  先端
【図１】
2010160772.tif 000003
【図２】
2010160772.tif 000004
【図３】
2010160772.tif 000005
【図４】
2010160772.tif 000006
【図５】
2010160772.tif 000007
【図６】
2010160772.tif 000008
【図６Ａ】
2010160772.tif 000009
【図７】
2010160772.tif 000010